(57)【特許請求の範囲】
【請求項１】
連続する複数の周波数サブキャリアにて形成された周波数ブロックによってシステム帯域が複数に分割されており、下りリンクのチャネルに割り当てるべき周波数ブロックを選択する周波数スケジューリング部と、
前記周波数スケジューリング部において選択した周波数ブロックへ下りリンクのチャネルのデータをマッピングするマッピング部と
を備え、
前記周波数スケジューリング部は、時間の経過に応じて、システム帯域に周波数ブロックが固定の間隔で分散して配置されるための予め定められたパターンにしたがって周波数ブロックを順次選択するＤｉｓｔｒｉｂｕｔｅｄ型送信に加えて、一定の周波数ブロックを選択するＬｏｃａｌｉｚｅｄ型送信も規定されており、一方を使用し、前記Ｄｉｓｔｒｉｂｕｔｅｄ型送信と前記Ｌｏｃａｌｉｚｅｄ型送信において、周波数ブロックを共通の単位とし、
前記Ｄｉｓｔｒｉｂｕｔｅｄ型送信と前記Ｌｏｃａｌｉｚｅｄ型送信とは、所定の期間を単位にして切り替えられることを特徴とする送信装置。
【請求項２】
連続する複数の周波数サブキャリアにて形成された周波数ブロックによってシステム帯域が複数に分割されており、下りリンクのチャネルに割り当てるべき周波数ブロックを選択するステップと、
選択した周波数ブロックへ下りリンクのチャネルのデータをマッピングするステップと
を備え、
前記選択するステップは、時間の経過に応じて、システム帯域に周波数ブロックが固定の間隔で分散して配置されるための予め定められたパターンにしたがって周波数ブロックを順次選択するＤｉｓｔｒｉｂｕｔｅｄ型送信に加えて、一定の周波数ブロックを選択するＬｏｃａｌｉｚｅｄ型送信も規定されており、一方を使用し、前記Ｄｉｓｔｒｉｂｕｔｅｄ型送信と前記Ｌｏｃａｌｉｚｅｄ型送信において、周波数ブロックを共通の単位とし、
前記Ｄｉｓｔｒｉｂｕｔｅｄ型送信と前記Ｌｏｃａｌｉｚｅｄ型送信とは、所定の期間を単位にして切り替えられることを特徴とする送信方法。
【請求項３】
連続する複数の周波数サブキャリアにて形成された周波数ブロックによってシステム帯域が複数に分割されており、下りリンクのチャネルに割り当てるべき周波数ブロックが選択されるとともに、選択した周波数ブロックへマッピングされた下りリンクのチャネルのデータを受けつける受付部と、
前記受付部において受けつけたデータを処理する処理部と
を備え、
前記受付部において受けつけたデータでは、時間の経過に応じて、システム帯域に周波数ブロックが分散して配置されるための予め定められたパターンにしたがって周波数ブロックを順次選択するＤｉｓｔｒｉｂｕｔｅｄ型送信と、一定の周波数ブロックを選択するＬｏｃａｌｉｚｅｄ型送信とが規定されており、一方が使用され、前記Ｄｉｓｔｒｉｂｕｔｅｄ型送信と前記Ｌｏｃａｌｉｚｅｄ型送信において、周波数ブロックが共通の単位とされ、
前記Ｄｉｓｔｒｉｂｕｔｅｄ型送信と前記Ｌｏｃａｌｉｚｅｄ型送信とは、所定の期間を単位にして切り替えられていることを特徴とするユーザ装置。
【請求項４】
連続する複数の周波数サブキャリアにて形成された周波数ブロックによってシステム帯域が複数に分割されており、下りリンクのチャネルに割り当てるべき周波数ブロックが選択されるとともに、選択した周波数ブロックへマッピングされた下りリンクのチャネルのデータを受けつけるステップと、
受けつけたデータを処理するステップと
を備え、
前記受けつけるステップにおいて受けつけたデータでは、時間の経過に応じて、システム帯域に周波数ブロックが分散して配置されるための予め定められたパターンにしたがって周波数ブロックを順次選択するＤｉｓｔｒｉｂｕｔｅｄ型送信と、一定の周波数ブロックを選択するＬｏｃａｌｉｚｅｄ型送信とが規定されており、一方が使用され、前記Ｄｉｓｔｒｉｂｕｔｅｄ型送信と前記Ｌｏｃａｌｉｚｅｄ型送信において、周波数ブロックが共通の単位とされ、
前記Ｄｉｓｔｒｉｂｕｔｅｄ型送信と前記Ｌｏｃａｌｉｚｅｄ型送信とは、所定の期間を単位にして切り替えられていることを特徴とする通信方法。
【発明の詳細な説明】
【技術分野】
【０００１】
本発明は、送信装置および送信方法に関する。
【背景技術】
【０００２】
下りリンクデータチャネルにおける送信方法には、Ｌｏｃａｌｉｚｅｄ型送信と、Ｄｉｓｔｒｉｂｕｔｅｄ型送信とがある。
【０００３】
Ｌｏｃａｌｉｚｅｄ型送信では、図１Ａに示すように、各ユーザに対して、周波数ブロックを単位として割り当てられる。例えば、Ｌｏｃａｌｉｚｅｄ型送信では、周波数選択性フェージングがよい周波数ブロックが割り当てられる。Ｌｏｃａｌｉｚｅｄ型送信は、一般に、送信データサイズが大きく、周波数スケジューリング効果を狙う場合に有効な送信方法である。
【０００４】
Ｄｉｓｔｒｉｂｕｔｅｄ型送信では、図１Ｂに示すように、周波数ブロックにこだわらず割り当てられた帯域全体に分散させてデータの送信が行われる。例えば、Ｄｉｓｔｒｉｂｕｔｅｄ型送信は、高速移動時における周波数スケジューリングができない状態、ＶｏＩＰなど送信データが小さい場合に使用される。Ｄｉｓｔｒｉｂｕｔｅｄ型送信は、一般に、送信データサイズが小さく、周波数ダイバーシチ効果を狙う場合に有利な送信方法である。
【発明の概要】
【発明が解決しようとする課題】
【０００５】
しかしながら、上述した背景技術には以下の問題がある。
【０００６】
１つのシステムで、低速移動時から高速移動時までの通信をサポートする必要がある。
【０００７】
また、データサイズの大きいＷｅｂブラウジングのようなパケットからデータサイズの小さいＶｏＩＰなどのパケットまで１つのシステムでサポートする必要がある。
【０００８】
そこで、本発明は、上述した問題を解決するためになされたものであり、１つのシステムで、Ｌｏｃａｌｉｚｅｄ型送信と、Ｄｉｓｔｒｉｂｕｔｅｄ型送信とをサポートできる送信装置および送信方法を提供することにある。
【課題を解決するための手段】
【０００９】
上記課題を解決するため、本発明の送信装置は、
連続する複数の周波数サブキャリアにて形成された周波数ブロックによってシステム帯域が複数に分割されており、下りリンクのチャネルに割り当てるべき周波数ブロックを選択する周波数スケジューリング部と、
前記周波数スケジューリング部において選択した周波数ブロックへ下りリンクのチャネルのデータをマッピングするマッピング部と
を備え、
前記周波数スケジューリング部は、時間の経過に応じて、システム帯域に周波数ブロックが固定の間隔で分散して配置されるための予め定められたパターンにしたがって周波数ブロックを順次選択するＤｉｓｔｒｉｂｕｔｅｄ型送信に加えて、一定の周波数ブロックを選択するＬｏｃａｌｉｚｅｄ型送信も規定されており、一方を使用し、前記Ｄｉｓｔｒｉｂｕｔｅｄ型送信と前記Ｌｏｃａｌｉｚｅｄ型送信において、周波数ブロックを共通の単位とし、
前記Ｄｉｓｔｒｉｂｕｔｅｄ型送信と前記Ｌｏｃａｌｉｚｅｄ型送信とは、所定の期間を単位にして切り替えられる。
【００１０】
本発明の送信方法は、
連続する複数の周波数サブキャリアにて形成された周波数ブロックによってシステム帯域が複数に分割されており、下りリンクのチャネルに割り当てるべき周波数ブロックを選択するステップと、
選択した周波数ブロックへ下りリンクのチャネルのデータをマッピングするステップと
を備え、
前記選択するステップは、時間の経過に応じて、システム帯域に周波数ブロックが固定の間隔で分散して配置されるための予め定められたパターンにしたがって周波数ブロックを順次選択するＤｉｓｔｒｉｂｕｔｅｄ型送信に加えて、一定の周波数ブロックを選択するＬｏｃａｌｉｚｅｄ型送信も規定されており、一方を使用し、前記Ｄｉｓｔｒｉｂｕｔｅｄ型送信と前記Ｌｏｃａｌｉｚｅｄ型送信において、周波数ブロックを共通の単位とし、
前記Ｄｉｓｔｒｉｂｕｔｅｄ型送信と前記Ｌｏｃａｌｉｚｅｄ型送信とは、所定の期間を単位にして切り替えられる。
【００１２】
本ユーザ装置は、
連続する複数の周波数サブキャリアにて形成された周波数ブロックによってシステム帯域が複数に分割されており、下りリンクのチャネルに割り当てるべき周波数ブロックが選択されるとともに、選択した周波数ブロックへマッピングされた下りリンクのチャネルのデータを受けつける受付部と、
前記受付部において受けつけたデータを処理する処理部と
を備え、
前記受付部において受けつけたデータでは、時間の経過に応じて、システム帯域に周波数ブロックが分散して配置されるための予め定められたパターンにしたがって周波数ブロックを順次選択するＤｉｓｔｒｉｂｕｔｅｄ型送信と、一定の周波数ブロックを選択するＬｏｃａｌｉｚｅｄ型送信とが規定されており、一方が使用され、前記Ｄｉｓｔｒｉｂｕｔｅｄ型送信と前記Ｌｏｃａｌｉｚｅｄ型送信において、周波数ブロックが共通の単位とされ、
前記Ｄｉｓｔｒｉｂｕｔｅｄ型送信と前記Ｌｏｃａｌｉｚｅｄ型送信とは、所定の期間を単位にして切り替えられていることを特徴とするユーザ装置。
【００１５】
本通信方法は、
連続する複数の周波数サブキャリアにて形成された周波数ブロックによってシステム帯域が複数に分割されており、下りリンクのチャネルに割り当てるべき周波数ブロックが選択されるとともに、選択した周波数ブロックへマッピングされた下りリンクのチャネルのデータを受けつけるステップと、
受けつけたデータを処理するステップと
を備え、
前記受けつけるステップにおいて受けつけたデータでは、時間の経過に応じて、システム帯域に周波数ブロックが分散して配置されるための予め定められたパターンにしたがって周波数ブロックを順次選択するＤｉｓｔｒｉｂｕｔｅｄ型送信と、一定の周波数ブロックを選択するＬｏｃａｌｉｚｅｄ型送信とが規定されており、一方が使用され、前記Ｄｉｓｔｒｉｂｕｔｅｄ型送信と前記Ｌｏｃａｌｉｚｅｄ型送信において、周波数ブロックが共通の単位とされ、
前記Ｄｉｓｔｒｉｂｕｔｅｄ型送信と前記Ｌｏｃａｌｉｚｅｄ型送信とは、所定の期間を単位にして切り替えられていることを特徴とする通信方法。
【００１７】
このように構成することにより、１つのシステムで、Ｌｏｃａｌｉｚｅｄ型送信と、Ｄｉｓｔｒｉｂｕｔｅｄ型送信とをサポートできる。
【発明の効果】
【００１８】
本発明の実施例によれば、１つのシステムで、Ｌｏｃａｌｉｚｅｄ型送信と、Ｄｉｓｔｒｉｂｕｔｅｄ型送信とをサポートできる送信装置および送信方法を実現できる。
【図面の簡単な説明】
【００１９】
【図１Ａ】Ｌｏｃａｌｉｚｅｄ型送信を示す説明図である。
【図１Ｂ】Ｄｉｓｔｒｉｂｕｔｅｄ型送信を示す説明図である。
【図２】本発明の一実施例にかかる送信装置を示す部分ブロック図である。
【図３】本発明の一実施例にかかる送信装置の動作を示す説明図である。
【図４】本発明の一実施例にかかる送信装置を示す部分ブロック図である。
【図５】本発明の一実施例にかかる送信装置の動作を示す説明図である。
【図６】本発明の一実施例にかかる送信装置を示す部分ブロック図である。
【図７】本発明の一実施例にかかる送信装置の動作を示す説明図である。
【図８】本発明の一実施例にかかる送信装置を示す部分ブロック図である。
【図９】本発明の一実施例にかかる送信装置の動作を示す説明図である。
【発明を実施するための形態】
【００２０】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００２１】
本発明の第１の実施例にかかる送信装置について、図２を参照して説明する。
【００２２】
本実施例にかかる送信装置１００は、Ｌｏｃａｌｉｚｅｄ型送信とＤｉｓｔｒｉｂｕｔｅｄ型送信とを時間分割で切り替える。例えば、送信装置１００は、Ｌｏｃａｌｉｚｅｄ型送信とＤｉｓｔｒｉｂｕｔｅｄ型送信との切り替えをサブフレーム毎に行う。
【００２３】
送信装置１００は、周波数スケジューリング部１０２と、分散パターン割り当て部１０４と、マッピング部１１０と、マッピング部１１０と接続され、周波数スケジューリング部１０２と分散パターン割り当て部１０４とを切り替えるスイッチ１０６と、スイッチ１０６の制御を行う制御部１０８とを備える。
【００２４】
周波数スケジューリング部１０２は、Ｌｏｃａｌｉｚｅｄ型送信を行う時間における周波数ブロックの割り当てを各ユーザに対して行う。例えば、周波数スケジューリング部１０２は、例えば周波数選択性フェージングに基づいて、各ユーザに周波数ブロックを割り当てる。ここで、周波数ブロックとは、システム帯域幅を連続する周波数サブキャリアのブロックに分割した一単位のことを言う。
【００２５】
分散パターン割り当て部１０４は、Ｄｉｓｔｒｉｂｕｔｅｄ型送信を行う時間におけるサブキャリアの割り当てを各ユーザに対して行う。分散パターン割り当て部１０４は、例えば、システム帯域幅内に離散的に分散した周波数サブキャリアからなる分散型周波数ブロックを単位として、割り当て帯域全体に分散させて、各ユーザに割り当てる。例えば、分散型周波数ブロックは、１または複数のサブキャリアとサブフレームを分割した分割サブフレームからなる。
【００２６】
例えば、分散型周波数ブロックを割り当て単位として、Ｄｉｓｔｒｉｂｕｔｅｄ型送信を行う時間における分散型周波数ブロックを配置する位置を、Ｄｉｓｔｒｉｂｕｔｅｄパターンとして、予め決めておく。分散パターン割り当て部１０４は、Ｄｉｓｔｒｉｂｕｔｅｄパターンに基づいて、分散型周波数ブロックを配置する。
【００２７】
また、複数のＤｉｓｔｒｉｂｕｔｅｄパターンを予め用意し、分散パターン割り当て部１０４は、複数のＤｉｓｔｒｉｂｕｔｅｄパターンから所定の条件に基づいて１つを選択して、選択したＤｉｓｔｒｉｂｕｔｅｄパターンに基づいて、分散型周波数ブロックを配置するようにしてもよい。
【００２８】
スイッチ１０６は、Ｌｏｃａｌｉｚｅｄ型送信とＤｉｓｔｒｉｂｕｔｅｄ型送信とを切り替える。
【００２９】
制御部１０８は、スイッチ１０６の制御を行う。例えば、制御部１０８は、所定の時間、例えばサブフレームを単位として、スイッチの制御を行う。その結果、Ｌｏｃａｌｉｚｅｄ型送信とＤｉｓｔｒｉｂｕｔｅｄ型送信とがサブフレームを単位として切り替えられる。例えば、制御部１０８は、スイッチ１０６を固定した割合、例えば、Ｌｏｃａｌｉｚｅｄ型送信とＤｉｓｔｒｉｂｕｔｅｄ型送信とが３対１の割合で切り替えられるようにスイッチ１０６を制御する。
【００３０】
また、制御部１０８は、Ｌｏｃａｌｉｚｅｄ型送信とＤｉｓｔｒｉｂｕｔｅｄ型送信とがトラフィックの割合に応じて切り替えられるようにスイッチ１０６を制御するようにしてもよい。
【００３１】
マッピング部１１０は、Ｌｏｃａｌｉｚｅｄ型送信を行う時間領域、例えばサブフレームにおいては、周波数ブロックにデータを割り当てる。また、マッピング部１１０は、Ｄｉｓｔｒｉｂｕｔｅｄ型送信を行う時間領域、例えばサブフレームにおいては、入力されたＤｉｓｔｒｉｂｕｔｅｄパターンに基づいて、データを割り当てる。
【００３２】
その結果、図３に示すように、時間、例えばサブフレーム単位で、Ｌｏｃａｌｉｚｅｄ型送信とＤｉｓｔｒｉｂｕｔｅｄ型送信とが行われる。
【００３３】
このようにすることにより、Ｌｏｃａｌｉｚｅｄ型送信とＤｉｓｔｒｉｂｕｔｅｄ型送信とも、周波数ダイバーシチ効果を最大限得ることができる。
【００３４】
次に、本発明の第２の実施例にかかる送信装置について、図４を参照して説明する。
【００３５】
本実施例にかかる送信装置１００は、Ｌｏｃａｌｉｚｅｄ型送信とＤｉｓｔｒｉｂｕｔｅｄ型送信とを周波数ブロック単位で切り替える。例えば、送信装置１００は、周波数ブロックおよび分散型周波数ブロックを単位として、Ｌｏｃａｌｉｚｅｄ型送信およびＤｉｓｔｒｉｂｕｔｅｄ型送信を行うユーザを割り当てる。
【００３６】
送信装置１００は、周波数スケジューリング部１０２と、周波数スケジューリング部１０２と接続された分散パターン割り当て部１０４およびマッピング部１１０とを備える。分散パターン割り当て部１０４はマッピング部１１０と接続される。
【００３７】
周波数スケジューリング部１０２は、周波数ブロックの割り当てを各ユーザに対して行う。例えば、周波数スケジューリング部１０２は、周波数選択性フェージングに基づいて、各ユーザに周波数ブロックの割り当てを行う。また、周波数スケジューリング部１０２は、割り当てた周波数ブロックを示す情報を分散パターン割り当て部１０４およびマッピング部１１０に入力する。
【００３８】
分散パターン割り当て部１０４は、周波数スケジューリング部１０２により入力された周波数ブロックを示す情報に基づいて、周波数スケジューリング部１０２においてユーザに割り当てられた周波数ブロック以外の周波数ブロック全体に分散させて分散型周波数ブロックを配置する。
【００３９】
例えば、分散型周波数ブロックを割り当て単位として、周波数ブロックに、該分散型周波数ブロックを配置する位置を、Ｄｉｓｔｒｉｂｕｔｅｄパターンとして、予め決めておく。分散パターン割り当て部１０４は、Ｄｉｓｔｒｉｂｕｔｅｄパターンに基づいて、周波数スケジューリング部１０２において割り当てられた周波数ブロック以外の周波数ブロックに、分散型周波数ブロックを配置し、各ユーザを割り当てる。
【００４０】
また、複数のＤｉｓｔｒｉｂｕｔｅｄパターンを予め用意し、分散パターン割り当て部１０４は、複数のＤｉｓｔｒｉｂｕｔｅｄパターンから所定の条件に基づいて１つを選択して、選択したＤｉｓｔｒｉｂｕｔｅｄパターンに基づいて、分散型周波数ブロックを配置し、各ユーザを割り当てるようにしてもよい。
【００４１】
マッピング部１１０は、Ｌｏｃａｌｉｚｅｄ型送信を行うユーザが割り当てられた周波数ブロックにデータを割り当てる。また、マッピング部１１０は、Ｌｏｃａｌｉｚｅｄ型送信を行うユーザが割り当てられた周波数ブロック以外の周波数ブロックに配置された分散型周波数ブロックにデータを割り当てる。
【００４２】
その結果、図５に示すように、Ｌｏｃａｌｉｚｅｄ型送信を行うデータとＤｉｓｔｒｉｂｕｔｅｄ型送信を行うデータとが周波数ブロック単位で分割されて送信される。
【００４３】
このようにすることにより、Ｌｏｃａｌｉｚｅｄ型送信とＤｉｓｔｒｉｂｕｔｅｄ型送信とを時間分割で切り替える場合と比較して、Ｌｏｃａｌｉｚｅｄ型送信におけるスケジューリング効果への悪影響を低減できる。
【００４４】
また、全てのサブフレームが使用されるため、時間方向での柔軟性を向上させることができる。例えば、Ｌｏｃａｌｉｚｅｄ型送信とＤｉｓｔｒｉｂｕｔｅｄ型送信とを時間分割で切り替える場合には、Ｌｏｃａｌｉｚｅｄ型送信の再送はＬｏｃａｌｉｚｅｄ型送信を行う時間にしかできず、また、Ｄｉｓｔｒｉｂｕｔｅｄ型送信の再送はＤｉｓｔｒｉｂｕｔｅｄ型送信を行う時間にしかできない。本実施例にかかる送信装置１００では、このような再送制御における時間的な制約を低減することができる。
【００４５】
次に、本発明の第３の実施例にかかる送信装置について、図６を参照して説明する。
【００４６】
本実施例にかかる送信装置１００は、Ｌｏｃａｌｉｚｅｄ型送信とＤｉｓｔｒｉｂｕｔｅｄ型送信とを同一時間、例えば同一サブフレームで共存させて送信する。
【００４７】
送信装置１００は、周波数スケジューリング部１０２と、分散パターン割り当て部１０４と、周波数スケジューリング部１０２および分散パターン割り当て部１０４と接続されたマッピング部１１０とを備える。
【００４８】
周波数スケジューリング部１０２は、周波数ブロックの割り当てを各ユーザに対して行う。例えば、周波数スケジューリング部１０２は、例えば周波数選択性フェージングに基づいて、各ユーザに周波数ブロックを割り当てる。
【００４９】
分散パターン割り当て部１０４は、分散型周波数ブロックの割り当てを各ユーザに対して行う。例えば、分散パターン割り当て部１０４は、分散型周波数ブロックを単位として、割り当て帯域全体に分散させて、各ユーザに割り当てる。
【００５０】
例えば、分散パターン割り当て部１０４は、Ｌｏｃａｌｉｚｅｄ型送信を行う周波数ブロックに穴を空ける。すなわち、予めＤｉｓｔｒｉｂｕｔｅｄ型送信を行うリソースの確保、またはパンクチャを行い、Ｄｉｓｔｒｉｂｕｔｅｄ型送信を行うデータを埋め込む。
【００５１】
この場合、分散型周波数ブロックを割り当て単位として、分散型周波数ブロックを配置する位置を、Ｄｉｓｔｒｉｂｕｔｅｄパターンとして、予め決めておく。分散パターン割り当て部１０４は、Ｄｉｓｔｒｉｂｕｔｅｄパターンに基づいて、分散型周波数ブロックを配置し、各ユーザに割り当てる。
【００５２】
また、複数のＤｉｓｔｒｉｂｕｔｅｄパターンを予め用意し、分散パターン割り当て部１０４は、複数のＤｉｓｔｒｉｂｕｔｅｄパターンから所定の条件に基づいて１つを選択して、選択したＤｉｓｔｒｉｂｕｔｅｄパターンに基づいて、分散型周波数ブロックを配置し、各ユーザに割り当てるようにしてもよい。
【００５３】
マッピング部１１０は、周波数ブロックおよび分散型周波数ブロックにデータを割り当てる。この場合、周波数ブロックを示す情報に基づいて、Ｌｏｃａｌｉｚｅｄ型送信を行うデータを割り当てる。また、マッピング部１１０は、入力されたＤｉｓｔｒｉｂｕｔｅｄパターンに基づいて、データを割り当てる。したがって、Ｌｏｃａｌｉｚｅｄ型送信を行うデータが割り当てられた周波数ブロックにおいても、Ｄｉｓｔｒｉｂｕｔｅｄ型送信を行うデータが割り当てられた分散型周波数ブロックでは、Ｌｏｃａｌｉｚｅｄ型送信を行うデータは割り当てられない。
【００５４】
その結果、図７に示すように、Ｌｏｃａｌｉｚｅｄ型送信を行うデータとＤｉｓｔｒｉｂｕｔｅｄ型送信を行うデータとが同一時間で共存して送信される。
【００５５】
このようにすることにより、Ｌｏｃａｌｉｚｅｄ型送信を行うデータおよびＤｉｓｔｒｉｂｕｔｅｄ型送信を行うデータとも、周波数ダイバーシチ効果を得ることができる。
【００５６】
次に、本発明の第４の実施例にかかる送信装置について、図８を参照して説明する。
【００５７】
本実施例にかかる送信装置１００は、Ｌｏｃａｌｉｚｅｄ型送信の範疇で、Ｄｉｓｔｒｉｂｕｔｅｄ型送信を行う。
【００５８】
送信装置１００は、周波数スケジューリング部１０２と、周波数スケジューリング部１０２と接続され、送信データの入力が行われ、送信データが出力されるマッピング部１１０とを備える。
【００５９】
周波数スケジューリング部１０２は、周波数ブロックの割り当てを、Ｌｏｃａｌｉｚｅｄ型送信を行うユーザに対して行う。例えば、周波数スケジューリング部１０２は、例えば周波数選択性フェージングに基づいて、Ｌｏｃａｌｉｚｅｄ型送信を行うユーザに周波数ブロックを割り当て、割り当てた周波数ブロックを示す情報をマッピング部１１０に入力する。
【００６０】
また、周波数スケジューリング部１０２は、周波数ブロックの割り当てを、Ｄｉｓｔｒｉｂｕｔｅｄ型送信を行うユーザに対しても行う。例えば、周波数スケジューリング部１０２は、Ｄｉｓｔｒｉｂｕｔｅｄ型送信を行うユーザに周波数ブロックを割り当て、割り当てた周波数ブロックを示す情報をマッピング部１１０に入力する。周波数スケジューリング部１０２は、例えば、分散型周波数ブロックを単位として、各ユーザに割り当てる周波数ブロックを選択する。
【００６１】
また、分散型周波数ブロックを割り当て単位として、周波数ブロックにおける分散型周波数ブロックを配置する位置を、Ｄｉｓｔｒｉｂｕｔｅｄパターンとして、予め決めておく。分散パターン割り当て部１０４は、Ｄｉｓｔｒｉｂｕｔｅｄパターンに基づいて、各ユーザに分散型周波数ブロックを割り当てる。
【００６２】
また、複数のＤｉｓｔｒｉｂｕｔｅｄパターンを予め用意し、周波数スケジューリング部１０２は、複数のＤｉｓｔｒｉｂｕｔｅｄパターンから所定の条件に基づいて１つを選択して、選択したＤｉｓｔｒｉｂｕｔｅｄパターンに基づいて、各ユーザに分散型周波数ブロックを割り当てるようにしてもよい。
【００６３】
マッピング部１１０は、Ｌｏｃａｌｉｚｅｄ型送信を行う周波数ブロックにデータを割り当てる。また、マッピング部１１０は、Ｄｉｓｔｒｉｂｕｔｅｄ型送信を行う周波数ブロックに配置された分散型周波数ブロックにデータを割り当てる。
【００６４】
その結果、図９に示すように、Ｌｏｃａｌｉｚｅｄ型送信を行うデータとＤｉｓｔｒｉｂｕｔｅｄ型送信を行うデータとが周波数ブロックを割り当て単位として送信される。
【００６５】
このようにすることにより、Ｄｉｓｔｒｉｂｕｔｅｄ型送信を行う場合に必要であるシグナリング情報を不要にできる。
【産業上の利用可能性】
【００６６】
本発明にかかる送信装置および送信方法は、無線通信システムに適用できる。
【符号の説明】
【００６７】
１００  送信装置
【図１Ａ】
0005198367.tif 000002
【図１Ｂ】
0005198367.tif 000003
【図２】
0005198367.tif 000004
【図３】
0005198367.tif 000005
【図４】
0005198367.tif 000006
【図５】
0005198367.tif 000007
【図６】
0005198367.tif 000008
【図７】
0005198367.tif 000009
【図８】
0005198367.tif 000010
【図９】
0005198367.tif 000011